(57)【要約】【課題】現在視聴している番組コンテンツのチャンネルで次に放送される番組コンテンツの番組情報を、視聴中の番組コンテンツを遮ったり、煩雑な操作をユーザさせたりすることなく表示することが可能なデジタル放送受信機を提供する。【解決手段】現在表示している番組コンテンツを放送しているチャンネルで、次に放送予定の番組コンテンツの番組名、及び番組内容を取得する番組情報取得部５と、取得した番組内容を字幕データに変換する字幕変換部６と、この字幕データを現在表示中の番組コンテンツに重畳して表示する信号重畳部７とをデジタル放送受信機に備える。【選択図】図１
2007201591.tif 000002
【特許請求の範囲】
【請求項１】
各番組コンテンツと、将来放送予定の複数の番組コンテンツの番組名、番組内容、放送開始時刻、放送終了時刻、チャンネル情報を含む番組情報とを併せて放送される複数のチャンネルからなるデジタル放送波のうち、所定のチャンネルに選局して、このチャンネルのデジタル放送波に含まれる番組コンテンツを表示手段に表示するデジタル放送受信機において、
前記選局した所定のチャンネルにおいて、現在表示している番組コンテンツの次に放送予定の番組コンテンツを、前記番組情報のうちの将来放送予定の各番組コンテンツの放送開始時刻とチャンネル情報とを参照することで特定し、前記現在表示している番組コンテンツの次に放送予定の番組コンテンツの番組名、及び番組内容を前記番組情報から取得する番組情報取得手段と、
取得した前記現在表示している番組コンテンツの次に放送予定の番組コンテンツの、少なくとも番組名、及び番組内容を字幕として表示する形式である字幕データに変換する字幕変換手段と、
前記字幕データの表示要求があった場合に、前記字幕変換手段で変換された字幕データを現在表示中の番組コンテンツに重畳して、前記表示手段に表示させる字幕データ表示手段と、
を有することを特徴とするデジタル放送受信機。
【発明の詳細な説明】
【技術分野】
【０００１】
本発明は、デジタル放送受信機に係り、特に、放送予定の番組コンテンツの番組情報を取得し表示する機能を有するデジタル放送受信機に関する。
【背景技術】
【０００２】
現在商品化されているデジタル放送受信機の多くは、電子番組表（ＥＰＧ）の表示機能を有している。
図８は、上記電子番組表の表示機能を有する従来のデジタル放送受信機の内部構成を示す構成図である。以下に、この図８を用いて従来のデジタル放送受信機の構成を簡単に説明する。
【０００３】
アンテナ１は、地上デジタル放送波又はＢＳやＣＳなどのデジタル衛星放送波を受信する。
ＮＩＭ（Network Interface Module）２は、アンテナ１で受信した放送波のうちＣＰＵ９によって設定される周波数の放送波にチューニングし、復調して、その復調した復調信号に含まれる少なくとも1つ以上のＭＰＥＧ−ＴＳを抽出する。
【０００４】
ＴＳデコーダ３は、ＮＩＭ２で抽出された少なくとも1つ以上のＭＰＥＧ−ＴＳから、ＣＰＵ９によって設定される指定チャンネルのＭＰＥＧ−ＴＳのみを抽出するとともに、その抽出したＭＰＥＧ−ＴＳを、ＭＰＥＧビデオストリーム、ＭＰＥＧオーディオストリーム、及びＰＳＩ（Program Specification Information）/ＳＩ（Service Information）などの付加情報データに分離する。ＰＳＩは、主に選局する際に用いられる情報であり、チャンネル、番組コンテンツなどを特定するための情報を含んでいる。ＳＩは、主に電子番組表を生成する際に用いられる情報であり、番組コンテンツ毎の番組名、放送予定時間、番組内容などの情報を含んでいる。なおＭＰＥＧオーディオに関しては本発明とは関係がないので以後の説明は省く。
【０００５】
ＭＰＥＧビデオデコーダ４は、ＴＳデコーダ３によって分離されたＭＰＥＧビデオストリームをビデオ信号にデコードして信号重畳部７に出力する。
番組表生成部１０は、ＴＳデコーダ３によって分離されたＳＩを用いて電子番組表を生成し、生成した電子番組表をモニタ８などに表示できるような映像信号である番組表信号に変換して信号重畳部７に出力する。
【０００６】
信号重畳部７は、入力されるビデオ信号に番組表信号を重畳してモニタ８に出力する。
モニタ８は、信号重畳部７から出力される重畳映像信号を表示する。
ＣＰＵ９は、ユーザからの指示を受けて、上記各構成部を適宜制御し、選局、映像表示、電子番組表表示などを実行する制御部である。
【０００７】
このようなデジタル放送受信機で、番組コンテンツ視聴中に次に放送される番組コンテンツの番組内容を確認したいとユーザが考えるのは通常よくある場面である。
上記のような場合、従来のデジタル放送受信機では、視聴画面上に電子番組表を表示させ、この電子番組表の中から次に放送される番組コンテンツを選択して、この番組コンテンツの番組内容を表示させるという操作が必要になる。
【０００８】
現在視聴中の番組コンテンツの次に放送される番組コンテンツの番組内容をユーザに知らせる技術として、例えば特許文献１に記載の提案がある。これは、デジタル放送波に多重されているＳＩから番組情報を抽出し、この番組情報を用いて番組コンテンツ毎に番組内容に関するダイジェスト情報を作成して保存し、番組コンテンツの切り替わり時に次に視聴する番組コンテンツのダイジェスト情報を表示するというものである。次の番組コンテンツが始まる前にダイジェスト表示を自動で行い、表示後自動で視聴画面に戻る。
【特許文献１】特開２００２−３２０１６０号公報
【発明の開示】
【発明が解決しようとする課題】
【０００９】
しかしながら、従来のデジタル放送受信機で、番組コンテンツ視聴中に次に放送される番組コンテンツの番組内容を知るためには、上記したように電子番組表を表示させる必要がある。電子番組表を表示させると、画面の大半がこの電子番組表により隠されてしまう。図２はこれを避けるための対応を施した表示画面の一例である。この例は視聴していた番組コンテンツが電子番組表の表示により隠れてしまうのを避けるために、視聴番組コンテンツ画面を左上部の破線四角部のように縮小表示する例である。
【００１０】
このように、電子番組表を表示する従来の方法では、電子番組表の表示のために表示画面の大部分が隠されてしまったり、視聴中の番組コンテンツを縮小表示させるために画像品位が悪くなってしまったりするという課題があった。
【００１１】
図３は、上記課題の内容を、横軸を時間軸として時系列的に図示したものである。この図でわかるように、番組コンテンツ視聴中にユーザからの番組情報表示要求aを受信して電子番組表を表示した後、視聴画面への復帰要求ｂを受信して電子番組表の表示をするまでの期間は、視聴画面が隠されてしまったり、縮小画面とした場合は画像品位が落ちてしまったりする。
【００１２】
また、電子番組表を表示させた後も、次に放送される番組コンテンツをこの電子番組表の中から選択し、番組内容を表示させるという追加操作が必要になり、ユーザに煩雑な操作を強いるという課題もある。
【００１３】
特許文献１に記載の方法を用いても、視聴画面はダイジェスト画面表示によって隠れてしまうことになり、上記課題は解決されない。
本発明は、上記課題を解決したデジタル放送受信機を提供することを目的としてなされたものである。
【課題を解決するための手段】
【００１４】
そこで上記課題を解決するために本発明は、下記の装置を提供するものである。
各番組コンテンツと、将来放送予定の複数の番組コンテンツの番組名、番組内容、放送開始時刻、放送終了時刻、チャンネル情報を含む番組情報とを併せて放送される複数のチャンネルからなるデジタル放送波のうち、所定のチャンネルに選局して、このチャンネルのデジタル放送波に含まれる番組コンテンツを表示手段に表示するデジタル放送受信機において、
前記選局した所定のチャンネルにおいて、現在表示している番組コンテンツの次に放送予定の番組コンテンツを、前記番組情報のうちの将来放送予定の各番組コンテンツの放送開始時刻とチャンネル情報とを参照することで特定し、前記現在表示している番組コンテンツの次に放送予定の番組コンテンツの番組名、及び番組内容を前記番組情報から取得する番組情報取得手段と（５）、
取得した前記現在表示している番組コンテンツの次に放送予定の番組コンテンツの、少なくとも番組名、及び番組内容を字幕として表示する形式である字幕データに変換する字幕変換手段と（６）、
前記字幕データの表示要求があった場合に、前記字幕変換手段で変換された字幕データを現在表示中の番組コンテンツに重畳して、前記表示手段に表示させる字幕データ表示手段と（７）、
を有することを特徴とするデジタル放送受信機。
【発明の効果】
【００１５】
本発明によれば、視聴している番組コンテンツの次に放送される番組コンテンツの番組情報を字幕で表示する構成とすることにより、電子番組表によって視聴画面の大半が隠されてしまったり、縮小画面とした場合は画像品位が落ちてしまったりすることなく、次に放送される番組コンテンツの番組情報をユーザに知らせることが可能となる。
【００１６】
また、電子番組表の中から次に放送される番組コンテンツを選択し、その番組コンテンツの番組情報を得る、といった煩雑な操作が従来例では必要になるのに対して、より単純な操作で次に放送される番組コンテンツの番組情報をユーザに知らせることが可能となる。
【００１７】
更には、従来より用いられている字幕表示機能のリソースを共用して利用することが可能なので、装置の規模の増大を防ぐことができる。
【発明を実施するための最良の形態】
【００１８】
図１は、本実施例のデジタル放送受信機の内部構成を示す構成図である。以下に、この図１を用いて本実施例のデジタル放送受信機の構成を説明する。
アンテナ１は、地上デジタル放送波又はＢＳやＣＳなどのデジタル衛星放送波を受信する。
【００１９】
ＮＩＭ（Network Interface Module）２は、アンテナ１で受信したデジタル放送波のうちＣＰＵ９によって設定される指定周波数の放送波にチューニングし、復調して、その復調した復調信号に含まれる少なくとも1つ以上のＭＰＥＧ−ＴＳを抽出する。
【００２０】
ＴＳデコーダ３は、ＮＩＭ２で抽出された少なくとも1つ以上のＭＰＥＧ−ＴＳから、ＣＰＵ９によって設定される指定チャンネルのＭＰＥＧ−ＴＳのみを抽出するとともに、その抽出したＭＰＥＧ−ＴＳを、ＭＰＥＧビデオストリーム、ＭＰＥＧオーディオストリーム、及びＰＳＩ（Program Specification Information）/ＳＩ（Service Information）などの付加情報データに分離する。ＰＳＩは主に選局する際のチャンネル、番組コンテンツなどを特定する際に用いられる情報である。ＳＩは番組コンテンツ毎の番組名、放送予定時間、内容などの情報を含んでおり、この情報を用いて電子番組表を生成できる。なおＭＰＥＧオーディオに関しては本発明とは関係がないので以後の説明は省く。
【００２１】
ＭＰＥＧビデオデコーダ４は、ＴＳデコーダ３によって分離されたＭＰＥＧビデオストリームをビデオ信号にデコードして信号重畳部７に出力する。
番組情報取得部５は、ＴＳデコーダ３によって分離されたＳＩを用いて、現在視聴中のチャンネルにおいて、次に放送される番組コンテンツの番組情報を取得し、字幕変換部６へ出力する。
次に放送される番組コンテンツを特定するにはＳＩ情報を用いる。ＳＩ情報から、現在視聴中の番組コンテンツの放送終了時刻と、将来放送予定の各番組コンテンツの放送開始時刻及びチャンネル情報とを取得して、現在視聴中の選局中のチャンネルと合致するチャンネル情報を持ち、かつ、放送開始時刻が、現在視聴している番組コンテンツの放送終了時刻の直後である番組コンテンツが次に放送される番組コンテンツである。
【００２２】
字幕変換部６は、入力された番組情報を、予め定められている字幕表示フォーマットに従って変換し、変換した字幕データを基に字幕表示信号を生成する。この字幕変換部は、通常の映画番組コンテンツなどで字幕を表示するためのリソースを共用しても良い。
【００２３】
信号重畳部７は、入力されるビデオ信号に字幕表示信号を重畳してモニタ８に出力する。
モニタ８は、信号重畳部７から出力される重畳映像信号を表示する。
【００２４】
ＣＰＵ９は、ユーザからの指示を受けて、上記各構成部を適宜制御し、選局、映像表示、電子番組表表示などを実行する制御部である。
上記のような構成により、本実施例では、次番組情報を字幕として表示することで、電子番組表の表示のために表示画面の大部分が隠されてしまったり、視聴中の番組コンテンツを縮小表示させるために画像品位が悪くなってしまうという課題を解決する。図４は、通常の映画などで字幕を表示する際の字幕表示の一例である。画面下側の、「Ａ：」以降の記号の羅列部分が字幕表示領域である。この図でわかるように、字幕の表示は電子番組表の表示に比べて、視聴している番組コンテンツの表示画面を隠す面積が少ない。本実施例では、この字幕表示領域に次に放送される番組コンテンツの番組名や番組内容を表示する。図７は本実施例を用いた表示例である。「次：」以降に次に放送される番組コンテンツの番組名を表示し、「内容：」以降にその番組コンテンツの番組内容を表示する。
【００２５】
また、従来例では、電子番組表を開いてその電子番組表の中から次に放送される番組コンテンツを選択し、その番組コンテンツの番組情報を得る、という煩雑な操作が必要になるが、本実施例では、次番組情報表示要求機能を割り当てたボタンを1度押下するだけで、次に放送される番組コンテンツの番組情報を得ることが可能となる。つまり、少ない操作で次番組コンテンツの情報を見ることができるようになる。
【００２６】
また、特許文献１に記載の従来例は、次に放送される番組コンテンツの番組情報（ダイジェスト画面）を、ユーザの意思に関係なく番組コンテンツの切り替わり時に自動で表示してしまうのに対して、本実施例は、ユーザが次の番組コンテンツの情報を見たいと思って操作を行なったときのみ、番組情報を表示させることができる。従って、ユーザに対して、意思に反して動作が実行されてしまうことによるストレスを感じさせることが無い。
【００２７】
図５は、本実施例の動作内容を、横軸を時間軸として時系列的に図示したものである。この図でわかるように、番組コンテンツ視聴中にユーザからの番組情報表示要求aを受信して字幕として番組情報を表示しても、視聴中の番組コンテンツの視聴状態を妨げることがない。
【００２８】
図６は、本実施例のデジタル放送受信機による次番組情報の表示処理の流れを示すフローチャートである。以下にこのフローチャートを用いて処理の流れを説明する。
ステップＳ１では、現在視聴している番組コンテンツのチャンネルで次に放送される番組コンテンツの番組情報を取得し、予め定められている字幕表示フォーマットに従って変換し、変換した字幕データをN＿infoとして装置内の記憶部に格納しておく。
【００２９】
ステップＳ２では、ユーザから番組情報表示／消去要求があるか否かを確認する。番組情報表示／消去要求があった場合はステップＳ３へ処理を移行する。番組情報表示／消去要求が無かった場合は、番組情報表示／消去要求があるまでこのステップＳ２で待機する。
【００３０】
ステップＳ３では、次に放送される番組コンテンツの番組情報を現在表示中か否かを確認する。
現在表示中の場合は、ステップＳ４へ処理を移行する。現在表示していない場合はステップＳ５へ処理を移行する。
【００３１】
ステップＳ４に処理が移行した場合は、現在既に番組情報が表示中であるので、ステップＳ２で確認した要求は番組情報消去要求であると判断できる。従って、ステップＳ４では、現在表示している番組情報を消去する。
【００３２】
ステップＳ５に処理が移行した場合は、番組情報が表示されていないので、ステップＳ２で確認した要求は番組情報表示要求であると判断できる。従って、ステップＳ５では、ステップＳ１で記憶部に記憶されている、字幕データ  （N＿info）を読み出し、モニタに表示できる形式の信号である字幕表示信号を生成する。そしてこの字幕表示信号を現在視聴中の番組コンテンツのビデオ信号に重畳してモニタに表示する。
【００３３】
ステップＳ４またはステップＳ５のいずれかの処理が終了したらステップＳ２に戻り、ふたたびユーザからの番組情報表示／消去要求があるまで待機する。
以上が本実施例の動作の流れである。
【００３４】
以上説明したような構成、及び動作を実行することにより、電子番組表によって視聴画面の大半が隠されてしまったり、縮小画面とした場合は画像品位が落ちてしまったりすることなく、次に放送される番組コンテンツの番組情報をユーザに知らせることが可能となる。
【００３５】
また、電子番組表の中から次に放送される番組コンテンツを選択し、その番組コンテンツの番組情報を得る、といった煩雑な操作が従来例では必要になるのに対して、より単純な操作で次に放送される番組コンテンツの番組情報をユーザに知らせることが可能となる。
【００３６】
更には、従来より用いられている字幕表示機能のリソースを共用して利用することが可能なので、装置の規模の増大を防ぐことができる。
また、本発明は、上記した装置の機能をコンピュータに実現させるためのプログラムを含むものである。これらのプログラムは、記録媒体から読みとられてコンピュータに取り込まれてもよいし、通信ネットワークを介して伝送されてコンピュータに取り込まれてもよい。
【図面の簡単な説明】
【００３７】
【図１】本発明の一実施例の構成図である。
【図２】電子番組表（ＥＰＧ）による視聴画面表示の一例である。
【図３】従来例における次番組内容表示の際の画面の変化を図示したものである。
【図４】字幕表示の一例である。
【図５】実施例における次番組内容表示の際の画面の変化を図示したものである。
【図６】実施例の次番組情報表示処理の流れを示すフローチャートである。
【図７】実施例を用いた視聴画面上での表示の一例をしめしたものである。
【図８】従来例の構成図である。
【符号の説明】
【００３８】
１  アンテナ
２  ＮＩＭ
３  ＴＳデコーダ
４  ＭＰＥＧビデオデコーダ
５  番組情報取得部
６  字幕変換部
７  信号重畳部
８  モニタ
９  ＣＰＵ
【図１】
2007201591.tif 000003
【図２】
2007201591.tif 000004
【図３】
2007201591.tif 000005
【図４】
2007201591.tif 000006
【図５】
2007201591.tif 000007
【図６】
2007201591.tif 000008
【図７】
2007201591.tif 000009
【図８】
2007201591.tif 000010